(57)【要約】【課題】ペアリングの設定を簡単にできる照明制御装置を提供する。【解決手段】照明制御装置１０は、電波リモコン２０において、電波送信部２５がペアリングの設定の開始要求信号および制御要求信号を送信し、赤外線送信部２７がペアリングの設定の解除要求信号を送信し、照明器具３０において、電波受信部３６がペアリングの設定の開始信号を受信すると、ペアリング待機状態に移行し、電波リモコン信号を受信すると、ＩＤを抽出して記憶を行ってペアリングを完了させ、赤外線受光部３８がペアリングの設定の解除要求信号を受信すると、ペアリング待機状態を解除する。【選択図】図２
2012089277.tif 000002
【特許請求の範囲】
【請求項１】
ランプと、
電波リモコンからの電波リモコン信号を受信する電波受信部と、
電波リモコンからの赤外線リモコン信号を受光する赤外線受光部と、
受信された制御要求信号に基づいて点灯回路部へ制御信号を与えたり、記憶部に記憶させたりする制御部と、
ＩＤや制御情報を記憶する前記記憶部と、
前記制御部からの信号に基づいて前記ランプの調光および点滅を制御する前記点灯回路部とを備える照明器具と、
前記制御情報を電波で発信する電波送信部と、
前記赤外線リモコン信号を送信する赤外線送信部と、
スイッチにより指定された制御情報を前記電波送信部または前記赤外線送信部に送る制御部と、
ＩＤおよび前記制御情報を記憶する記憶部とを備える電波リモコンとから構成され、
特定の前記電波リモコンにより、特定の前記照明器具にＩＤを設定してペアリングを行い、
前記電波リモコンにおいて、
前記電波送信部は、ペアリングの設定の開始要求信号および前記制御要求信号を送信し、
前記赤外線送信部は、前記ペアリングの設定の解除要求信号を送信し、
前記照明器具において、
前記電波受信部は、前記ペアリングの設定の開始信号を受信すると、ペアリング待機状態に移行し、前記電波リモコン信号を受信すると、ＩＤを抽出して記憶を行ってペアリングを完了させ、
前記赤外線受光部は、前記ペアリングの設定の解除要求信号を受信すると、ペアリング待機状態を解除する照明制御装置。
【発明の詳細な説明】
【技術分野】
【０００１】
本発明は、ＩＤにより識別される電波受信機能を有する複数の照明器具と、電波送信機能を有する電波リモコンとにより、ＩＤを設定して交信相手を特定するペアリングの設定を行う照明制御装置に関する。
【背景技術】
【０００２】
従来より、ペアリングの設定の開始を要求するペアリング設定要求コードを赤外線方式により電子機器に送信する発光部を備えた照明制御装置が知られている（例えば、特許文献１参照）。
特許文献１に記載された従来の照明制御装置は、通信部が、発光部により送信されたペアリング設定要求コードに対して電子機器から電波方式で送信された電子機器の固有情報を受信するとともに、自身の固有情報を電波方式で電子機器に送信し、制御部が、通信部により受信された電子機器の固有情報を登録して、電子機器をペアリングの対象機器として制御する。
【先行技術文献】
【特許文献】
【０００３】
【特許文献１】特開２００８−２６３３０８号公報（図２、請求項１）
【発明の概要】
【発明が解決しようとする課題】
【０００４】
前述した特許文献１に記載された照明制御装置は、赤外線方式を用いることによりペアリング設定要求コードを特定の電子機器にのみ送信できるため、リモコンと特定の電子機器との間で確実にペアリングの設定を行うことができる。
しかし、前述した特許文献１に記載された照明制御装置は、指向性を有する赤外線方式を用いているために、オフィス等のように天井面に電子機器である多数の照明器具が設置されている場合、それら照明器具の１台ずつにペアリング設定要求コードをそれぞれ送信しなければならない。
従って、前述した特許文献１に記載された照明制御装置は、照明器具の１台ずつにペアリング設定要求コードを送信しなければならないために、ペアリングの設定に手間がかかる。
【０００５】
本発明は、前述した課題を解決するためになされたものであり、その目的は、ペアリングの設定を簡単にできる照明制御装置を提供することにある。
【課題を解決するための手段】
【０００６】
本発明に係る照明制御装置は、ランプと、電波リモコンからの電波リモコン信号を受信する電波受信部と、電波リモコンからの赤外線リモコン信号を受光する赤外線受光部と、受信された制御要求信号に基づいて点灯回路部へ制御信号を与えたり、記憶部に記憶させたりする制御部と、ＩＤや制御情報を記憶する前記記憶部と、前記制御部からの信号に基づいて前記ランプの調光および点滅を制御する前記点灯回路部とを備える照明器具と、前記制御情報を電波で発信する電波送信部と、前記赤外線リモコン信号を送信する赤外線送信部と、スイッチにより指定された制御情報を前記電波送信部または前記赤外線送信部に送る制御部と、ＩＤおよび前記制御情報を記憶する記憶部とを備える電波リモコンとから構成され、特定の前記電波リモコンにより、特定の前記照明器具にＩＤを設定してペアリングを行い、前記電波リモコンにおいて、前記電波送信部は、ペアリングの設定の開始要求信号および前記制御要求信号を送信し、前記赤外線送信部は、前記ペアリングの設定の解除要求信号を送信し、前記照明器具において、前記電波受信部は、前記ペアリングの設定の開始信号を受信すると、ペアリング待機状態に移行し、前記電波リモコン信号を受信すると、ＩＤを抽出して記憶を行ってペアリングを完了させ、前記赤外線受光部は、前記ペアリングの設定の解除要求信号を受信すると、ペアリング待機状態を解除する。
【発明の効果】
【０００７】
本発明に係る照明制御装置によれば、ペアリングの設定を簡単にできるという効果を奏する。
【図面の簡単な説明】
【０００８】
【図１】本発明に係る一実施形態の照明制御装置の模式的側面図
【図２】本発明に係る一実施形態の照明制御装置の回路構成図
【図３】本発明に係る一実施形態の照明制御装置の模式的底面図
【図４】本発明に係る一実施形態の照明制御装置の制御動作を説明するフローチャート
【発明を実施するための形態】
【０００９】
以下、本発明に係る一実施形態の照明制御装置について図面を参照して説明する。
図１に示すように、本発明に係る一実施形態の照明制御装置１０は、電波リモコン２０と、複数の照明器具３０とから構成される。電波リモコン２０は、複数の照明器具３０を一括に制御する。
【００１０】
図２に示すように、電波リモコン２０は、スイッチ２１と、第１ＣＰＵ（制御部）２２と、第１メモリ（記憶部）２３と、信号出力回路２４と、電波送信部２５と、電波送信アンテナ２６と、赤外線送信部２７と、赤外線送信ＬＥＤ（赤外ＬＥＤ）２８とを備える。
照明器具３０は、ランプ３１と、インバータ安定器（点灯回路部）３２と、第２ＣＰＵ（制御部）３３と、第２メモリ（記憶部）３４と、信号入力回路３５と、電波受信部３６と、電波受信アンテナ３７と、赤外線受光部３８と、赤外線受光素子３９とを備える。
【００１１】
電波リモコン２０において、電波送信部２５は制御情報を電波で発信する。赤外線送信部２７は赤外線リモコン信号を送信する。第１ＣＰＵ２２はスイッチ２１により指定された制御情報を電波送信部２５または赤外線送信部２７に送る。第１メモリ２３はＩＤおよび制御情報を記憶する。
【００１２】
電波リモコン２０は、所定のスイッチ２１の押下により、電波送信部２５からペアリングの設定の開始を要求するための開始要求信号を照明器具３０の電波受信部３６に送信する。電波リモコン２０は、通常の制御時に、所定のスイッチ２１の押下に応じて、制御コードがそれぞれ出力される。電波リモコン２０は、所定のスイッチ２１の押下により、赤外線送信部２７からペアリングの設定の解除を要求するための解除要求信号を照明器具３０の赤外線受光部３８に送信する。
【００１３】
照明器具３０において、電波受信部３６は電波リモコン２０の電波送信部２５からの電波リモコン信号を受信する。赤外線受光部３８は電波リモコン２０の赤外線送信部２７からの赤外線リモコン信号を受光する。第２ＣＰＵ３３は受信された制御要求信号に基づいてインバータ安定器３２へ制御信号を与えたり、第２メモリ３４に記憶させたりする。第２メモリ３４はＩＤや制御情報を記憶する。インバータ安定器３２は第２ＣＰＵ３３からの信号に基づいてランプ３１の調光および点滅の制御を行う。
【００１４】
照明器具３０は、電波受信部３６が、ペアリングの設定の開始要求信号および通常の制御信号を受信する。照明器具３０は、赤外線受光部３８が、ペアリングの設定の解除要求信号を受信する。照明器具３０は、ＩＤの設定の以降は、設定されたＩＤコード以外の制御コマンドを受け付けない。
【００１５】
図３に示すように、電波は、拡散性が広く、複数の照明器具３０に対して同時に届くために、電波リモコン２０を用いてペアリングの設定の開始を要求する開始要求信号が送信される。複数の照明器具３０の中心位置に電波リモコン２０が載置された場合、電波リモコン２０からの電波は、電波リモコン２０を中心とした円Ａ内の照明器具３０が受信して消灯ないし段調光される。このとき、電波リモコン２０にわずかな傾きがあった場合、ペアリングの設定をさせたい範囲Ｂの外側の照明器具３０が電波を受信することがある。
【００１６】
そこで、赤外線は指向性が強いために、所定の照明器具３０に対して確実に設定を行える特性を活用して、ペアリングの設定を行わない照明器具３０に対して、赤外線送信部２７からペアリングの設定の解除要求信号を赤外線受光部３８に送信させることにより、所定の範囲の外側に設置されていてペアリングの設定を行わない照明器具３０のペアリングの設定を解除する。
以降、電波リモコン２０から任意の電波リモコン信号を送出させることにより、ペアリング待ちの状態にある照明器具３０がＩＤを取り込んでペアリングの設定が完了される。
【００１７】
次に、照明制御装置１０の制御動作について説明する。
図４に示すように、制御が開始され、電波リモコン２０の所定のスイッチ２１の押下によりペアリングの設定の開始が要求されると、電波送信部２５からペアリングの設定の開始要求信号を有する電波リモコン信号（電波通信データ）が電波受信部３６により受信され、電波リモコン信号がペアリングの設定の開始要求信号であるために、ランプ３１を調光または消灯させ、ペアリング待ちの状態に移行されて待機状態となる（Ｓ１→Ｓ２→Ｓ３）。
【００１８】
待機状態において、電波リモコン信号が電波受信部３６により受信されると、ＩＤコードが抽出されて第２メモリ３４に記憶され、ＩＤコードが抽出され、既に記憶されているＩＤコードに一致することにより、制御情報が抽出されてインバータ安定器３２に制御信号が送られる（Ｓ４→Ｓ９→Ｓ１→Ｓ２→Ｓ６→Ｓ７→Ｓ８）。
このとき、抽出されたＩＤコードが既に記憶されているＩＤコードに一致しない場合、ルーチンが繰り返される（Ｓ７→Ｓ１→Ｓ２→Ｓ７）。
【００１９】
電波リモコン２０の所定のスイッチ２１の押下によりペアリングの設定の解除が要求されると、待機状態において、電波リモコン信号が電波受信部３６により受信されず、赤外線リモコン信号（赤外線通信データ）が赤外線受光部３８に受光されるために、ランプ３１が点灯され、ペアリングの設定の待ちの状態が解除される（Ｓ３→Ｓ４→Ｓ５→Ｓ１０）。
【００２０】
すなわち、照明制御装置１０は、電波リモコン２０において、電波送信部２５がペアリングの設定の開始要求信号および制御要求信号を送信し、赤外線送信部２７がペアリングの設定の解除要求信号を送信し、照明器具３０において、電波受信部３６がペアリングの設定の開始信号を受信すると、ペアリング待機状態に移行し、電波リモコン信号を受信すると、ＩＤを抽出して記憶を行ってペアリングを完了させ、赤外線受光部３８がペアリングの設定の解除要求信号を受信すると、ペアリング待機状態を解除する。
【００２１】
以上、説明したように一実施形態の照明制御装置１０によれば、電波リモコン２０の電波送信部２５がペアリングの設定の開始要求信号および制御要求信号を送信し、電波リモコン２０の赤外線送信部２７がペアリングの設定の解除要求信号を送信し、照明器具３０の電波受信部３６がペアリングの設定の開始信号を受信すると、ペアリング待機状態に移行し、電波リモコン信号を受信すると、ＩＤを抽出して記憶を行ってペアリングを完了させ、照明器具３０の赤外線受光部３８がペアリングの設定の解除要求信号を受信すると、ペアリング待機状態を解除するために、ペアリングの設定を簡単にできる。
【００２２】
なお、本発明の照明制御装置においてスイッチ，信号出力回路，赤外線送信部，インバータ安定器，信号入力回路，電波受信部，赤外線受光部等は、前述した一実施形態に限定されるものでなく、適宜な変形や改良等が可能である。
【符号の説明】
【００２３】
１０  照明制御装置
２０  電波リモコン
２１  スイッチ
２２  第１ＣＰＵ（制御部）
２３  第１メモリ（記憶部）
２５  電波送信部
２７  赤外線送信部
３０  照明器具
３１  ランプ
３２  インバータ安定器（点灯回路部）
３３  第２ＣＰＵ（制御部）
３４  第２メモリ（記憶部）
３６  電波受信部
３８  赤外線受光部
【図１】
2012089277.tif 000003
【図２】
2012089277.tif 000004
【図３】
2012089277.tif 000005
【図４】
2012089277.tif 000006